(57)【要約】【課題】  表示部を有する筐体と特定のプログラムを有する筐体とを別体で携行できて、特定のプログラムを有する筐体を差し替えることにより、ゲーム機や音楽プレイヤー等の複数の携帯端末の機能を簡単に切り替えて使用できる携帯端末を提供すること。【解決手段】  本発明に係る携帯端末１００は、表示部１０２を有する表示部用本体１００と、表示部用本体１００に着脱可能に装着されるアプリケーション用本体２００とを備え、  アプリケーション用本体２００は、特定のプログラムを記憶する記憶部と、記憶部に記憶された特定のプログラムの処理を行うとともに、特定のプログラムの処理に関する情報を表示部１０２に表示させる制御部とを有する。【選択図】          図１
2006287779.tif 000002
【特許請求の範囲】
【請求項１】
表示部を有する第一の筐体と、上記第一の筐体に着脱可能に装着される第二の筐体とを備え、
上記第二の筐体は、特定のプログラムを記憶する記憶部と、上記記憶部に記憶された上記特定のプログラムの処理を行うとともに、上記特定のプログラムの処理に関する情報を上記表示部に表示させる制御部とを有することを特徴とする携帯端末。
【請求項２】
上記第一の筐体は、上記特定のプログラムを処理させるための操作部を有することを特徴とする請求項１に記載の携帯端末。
【請求項３】
上記第二の筐体は、無線部を有し、上記特定のプログラムは、上記無線部を介して、通信相手の携帯端末との間で音声通信またはメール通信を行う処理を含むことを特徴とする請求項１に記載の携帯端末。
【請求項４】
上記記憶部は、少なくとも１以上のゲームソフトデータを記憶し、上記特定のプログラムは、ゲームソフトデータを実行させる処理を含むことを特徴とする請求項１に記載の携帯端末。
【請求項５】
上記記憶部は、少なくとも１以上の音楽データを記憶し、上記特定のプログラムは、上記記憶部に記憶された音楽データを再生する処理を含むことを特徴とする請求項１に記載の携帯端末。
【請求項６】
上記記憶部は、少なくとも１以上のスケジュールデータを記憶し、上記特定のプログラムは、上記記憶部に記憶されたスケジュールデータを登録または改変する処理を含むことを特徴とする請求項１に記載の携帯端末。
【請求項７】
上記第二の筐体は、上記第一の筐体にスライド移動可能に保持されたことを特徴とする請求項１に記載の携帯端末。
【請求項８】
上記第一の筐体は、上記表示部に電気的に接続された第一の接続部を有し、
上記第二の筐体は、上記記憶部および上記制御部に電気的に接続された第二の接続部を有し、
上記第二の接続部は、上記第一の接続部に着脱可能であって、上記第二の接続部が上記第一の接続部に装着されたとき、上記表示部と、上記記憶部および上記制御部とを、電気的に接続することを特徴とする請求項１に記載の携帯端末。
【請求項９】
上記第一の接続部は、上記第一の筐体内でスライド移動可能に保持されたことを特徴とする請求項８に記載の携帯端末。
【請求項１０】
上記第一の接続部には、上記第一の筐体の外部に露出されたつまみが一体に取り付けられ、上記つまみをスライド移動させることにより、上記第一の接続部を上記第一の筐体内でスライド移動させることが可能な請求項９に記載の携帯端末。
【発明の詳細な説明】
【技術分野】
【０００１】
この発明は、携帯端末に関し、特に表示部を有する第一の筐体と、第一の筐体に着脱可能に装着される第二の筐体とを備えた携帯端末に関する。
【背景技術】
【０００２】
近年、携帯電話機、携帯情報端末等の携帯端末の普及が急速に進んできている。また、携帯電話機や携帯情報端末は、電話通信やメール通信のみならず、スケジュール管理や音楽再生などが可能となり、年々多様化されつつある。
また、使用時には大きな表示画面を用いて操作し易くし、携帯時にはコンパクトに携行できるようにするために、スライド型式の携帯電話機や携帯情報端末が、需要者に広く好まれてきている。
例えば、表示部を有する筐体に対して、操作部を有する筐体がスライド可能に取り付けられたスライド型式の携帯電話機が提案されている（特許文献１）。
【特許文献１】特開２００３−１４０７７２号公報（図１）
【発明の開示】
【発明が解決しようとする課題】
【０００３】
しかしながら、従来のスライド型式の携帯電話機では、無線部やアンテナなどの携帯電話機の機能に関係する電子部品が多く、また、記憶部には電話帳データやメールアドレスデータなどの携帯電話機の機能に関係する情報が多く記憶されているため、大容量のゲームや音楽等を記憶することができなかった。
このため、従来では、携帯電話機とともに携帯ゲーム機や携帯音楽プレイヤーを携行して利用したい場合には、携帯電話機、携帯ゲーム機および携帯音楽プレイヤーの全てをかばんや衣類のポケットに入れて持ち歩く必要があった。しかし、携帯ゲーム機や携帯音楽プレイヤーや携帯電話機を合わせて携行すると、かばんや衣類のポケットの中がかさばってしまう。また、携帯電話機や携帯ゲーム機や携帯音楽プレイヤーのそれぞれが情報を表示する表示部を有しているにもかかわらず、表示部を有する複数の携帯端末を持ち歩くのは、あまり効率的でなかった。
【課題を解決するための手段】
【０００４】
本発明に係る携帯端末は、表示部を有する第一の筐体と、第一の筐体に着脱可能に装着される第二の筐体とを備え、第二の筐体は、特定のプログラムを記憶する記憶部と、記憶部に記憶された特定のプログラムの処理を行うとともに、特定のプログラムの処理に関する情報を表示部に表示させる制御部とを有することを特徴とするものである。
このような構成としたことにより、表示部を有する筐体と特定のプログラムを有する筐体とを別体で携行できて、特定のプログラムを有する筐体を差し替えることにより、ゲーム機や音楽プレイヤー等の多種の携帯端末の機能を簡単に切り替えて使用できる。
【発明の効果】
【０００５】
本発明により、表示部を有する筐体と特定のプログラムを有する筐体とを別体で携行できて、特定のプログラムを有する筐体を差し替えることにより、多種の携帯端末の機能を簡単に切り替えて使用できる。
【発明を実施するための最良の形態】
【０００６】
以下に、本発明を適用可能な実施の形態を説明する。
以下の説明は、本発明を実施の形態を説明するものであり、本発明が以下の実施の形態に限定されるものではない。また、当業者であれば、以下の実施の形態の各要素を、本発明の範囲において、容易に変更、追加、変換することが可能である。
【０００７】
発明の実施の形態１．
本発明の実施の形態１に係る携帯端末の構成について、図に基づいて説明する。
図１は、本発明の実施の形態１に係る携帯端末の構成を示す模式図であって、図１（ａ）は携帯端末の正面外観図、図１（ｂ）は携帯端末の正面透視図、図１（ｃ）は図１（ａ）のＡ−Ａ切断線における携帯端末の断面図、図１（ｄ）は携帯端末の背面透視図、図１（ｅ）は携帯端末の底面外観図である。なお、説明の便宜上、図１（ｂ）では、アプリケーション用本体の一部の断面図は省略している。
図２は、本発明の実施の形態１に係る携帯端末のアプリケーション用本体を収納した状態の外観構成を示す図であって、図２（ａ）は携帯端末の外観正面図、図２（ｂ）は携帯端末の外観側面図、図２（ｃ）は携帯端末の外観背面図である。
【０００８】
図３は、本発明の実施の形態１に係る携帯端末のアプリケーション用本体を引き出した状態の外観構成を示す図であって、図３（ａ）は携帯端末の外観正面図、図３（ｂ）は携帯端末の外観側面図、図３（ｃ）は携帯端末の外観背面図である。
図４は、本発明の実施の形態１に係る携帯端末の電気接続関係を示すブロック図であって、図４（ａ）は表示部用本体のブロック図、図４（ｂ）はアプリケーション用本体のブロック図である。
【０００９】
図１に示されるように、本発明の実施の形態１に係る携帯端末１は、第一の筐体としての表示部用本体１００と、第二の筐体としてのアプリケーション用本体２００とから構成されている。また、アプリケーション用本体２００は、表示部用本体１００に着脱可能に取り付けられている。
表示部用本体１００は表示部１０２を有し、アプリケーション用本体２００は、特定のアプリケーション用のプログラムを搭載している。
図１（ａ）および図１（ｃ）に示されるように、液晶表示装置等の表示部１０２が、表示部用本体１００の外枠ケース１０１に取り付けられている。表示部１０２は外枠ケース１０１内に保持されたプリント基板１０３上に実装され、プリント基板１０３上に実装された電子回路とコネクタ等により電気的に接続されている。
【００１０】
図１（ａ）に示されるように、表示部用本体１００の正面側の一端部に、操作部１０４ａが設けられている。操作部１０４ａは４方向の十字キーおよびこれら十字キーの中央部に配置された決定キーとからなる。
十字キーは、例えば表示部１０２に表示される複数のアイコン上で、カーソルを上下左右に移動させることにより、複数のアイコン情報のうち１のアイコンを選択するためのキーである。
また、決定キーは、例えば十字キーにより選択したアイコンを選択したことを確定するためのキーである。
また、図２（ｂ）、図３（ｂ）に示されるように、表示部用本体１００の側面には、操作部１０４ｂが設けられている。操作部１０４ｂ、１０４ｃは例えば通話音量や音楽再生音量の調整に用いられるキーである。
【００１１】
操作部１０４ａはプリント基板１０３上に設けられている。また、例えば操作部１０４ａの各キーの押下により、プリント基板１０３上に印刷された電極パターンがショートされ、この電極パターンのオープンおよびショートが、アプリケーション用本体２００を操作するための操作信号となる。
また、操作部１０４ｂの各キーのアクチュエータ（不図示）側には、例えばフレキシブルプリント基板（不図示）上に配列されたメタル製のクリック板が設けられており、操作部１０４ｂの各キーを押下することにより、メタル製のクリック板とフレキシブルプリント基板上に形成された電極パターンとをショートさせる構造となっている。
【００１２】
図１（ｂ）〜図１（ｄ）に示されるように、表示部用本体１００の内部には、アプリケーション用本体２００が、Ｂ方向にスライド可能となるように、一端が開口された箱状の内壁１０５が設けられている。
図１（ｂ）〜図１（ｄ）に示されるように、第一の接続部としてのオス型ピンコネクタ１０６が、表示部用本体１００の内部でＢ方向にスライド移動可能に保持されている。ここで、オス型ピンコネクタ１０６は、ピン状の電極が複数配列されたコネクタであって、アプリケーション用本体２００の長手方向における端部に設けられたメス型ピンコネクタ２０２と接続される。
【００１３】
図１（ｃ）および図１（ｅ）に示されるように、オス型ピンコネクタ１０６の背面側中央部には、つまみ１０６ａが一体に形成されている。このつまみ１０６ａは図２（ｃ）および図３（ｃ）に示されるように、表示部用本体１の外部に露出されている。
また、表示部用本体１００の外枠ケース１０１の背面には、表示部用本体１００の長手方向に延在する開口１０７が形成されている。このつまみ１０６ａを開口１０７に沿ってスライド移動させることにより、オス型ピンコネクタ１０６を表示部用本体１００内でＢ方向にスライド移動させることができる。また、つまみ１０６ａは、表示部用本体１００から飛び出さないように、開口１０７の両端間に保持されている。
【００１４】
図１（ｃ）に示されるように、フレキシブルプリント基板１０８の一端がオス型ピンコネクタ１０６に、他端がプリント基板１０３の背面上にそれぞれはんだ等により接続されている。フレキシブルプリント基板１０８は可撓性を有し、オス型ピンコネクタ１０６のスライド移動範囲に対応した長さに調整されている。なお、便宜上、図１（ｂ）、図１（ｄ）では、フレキシブルプリント基板１０８の他端側を省略している。
そして、表示部用本体１０１のオス型ピンコネクタ１０６にアプリケーション用本体２００のメス型ピンコネクタ２０２が装着されることにより、オス型ピンコネクタ１０６とメス型ピンコネクタ２０２とが電気的に接続され、更にはアプリケーション用本体２００内部の電気回路（不図示）と、表示部用本体１００のプリント基板１０１とが、電気的に接続される。
【００１５】
なお、上記の説明では、表示部用本体１００にオス型ピンコネクタ１０６を設け、アプリケーション用本体２００にメス型ピンコネクタ２０２を設けるとした態様で説明したが、表示部用本体１００にメス型ピンコネクタ２０２を設け、アプリケーション用本体２００にオス型ピンコネクタ１０６を設けてもよい。
図１（ｅ）に示されるように、表示部用本体１００の内壁１０５の両内側面には、表示部用本体１００の長手方向に延びる凸部１０９が形成されている。この凸部１０９にアプリケーション用本体２００の外枠ケース２０１の両外側面に形成された凹部２０３が、はめ込まれる。この凹部２０３を側面から見ると、図３（ｂ）に示されるようになる。
アプリケーション用本体２００は、端部に設けられたメス型ピンコネクタ２０２をオス型ピンコネクタ１０６に装着して、つまみ１０６ａのスライド移動により、オス型ピンコネクタ１０６と一体となってＢ方向にスライド移動される。また、この際にアプリケーション用本体２００は、凹部２０３が表示部用本体の凸部１０９にはめ込まれた状態で、凸部１０９に沿ってＢ方向にスライド移動される。
【００１６】
図３（ａ）に示されるように、アプリケーション用本体２００の表面側には、操作部２０４が設けられている。この操作部２０４は、例えばテンキーや機能選択キーの複数の操作キーからなり、操作部２０４は、操作部１０４ａと同様に、外枠ケース２０１内に設けられたプリント基板（不図示）上に設けられており、例えば操作部２０４のキーの押下により、プリント基板上に印刷された電極パターンがショートされる構造となっている。
また、図３（ａ）に示されるアプリケーション用本体２００の表面側には、スピーカ部（不図示）とマイク部（不図示）が設けられている。
【００１７】
次に、本発明の実施の形態１に係る携帯端末の電気接続関係を図に基づいて説明する。
図４（ａ）に示されるように、表示部用本体１００は、表示部１０２と、この表示部１０２の表示制御をする表示制御部（表示ドライバ）１１０と、操作部１０４と、この操作部を制御する操作制御部（操作ドライバ）１１１と、オス型ピンコネクタ１０６とを備えている。
表示部１０２は、表示制御部１１０を介して、オス型ピンコネクタ１０６に接続されている。また、操作部１０４ａ、１０４ｂは操作制御部１１１を介して、オス型ピンコネクタ１０６に接続されている。
【００１８】
表示制御部１１０は、アプリケーション用本体２００の制御部２０４からの指示に従って、表示部１０２に文字、画像等の情報表示を行なわせる。また、操作制御部１１１は、操作部１０４ａ、１０４ｂから入力された操作信号を、アプリケーション用本体２００の制御部２０５へ出力する。
図４（ｂ）に示されるように、アプリケーション用本体２００は、操作部２０４と、制御部２０５と、アンテナ２０６に接続された無線部２０７と、記憶部２０８と、スピーカ部２０９と、マイク部２１０と、メス型ピンコネクタ２０２とを備えている。
制御部２０５は、操作部２０４、無線部２０７、記憶部２０８、スピーカ部２０９、マイク部２１０およびメス型ピンコネクタ２０２に接続されており、これらを制御する。
【００１９】
無線部２０７は、制御部２０５の指示に従って、アンテナ２０６を介して、音声データまたはメールデータ等が乗せられた高周波信号を送受信する。
記憶部２０８には、特定のプログラムとしての携帯電話用プログラム２０８ａが記憶されている。この携帯電話用プログラム２０８ａは、無線部２０７およびアンテナ２０６を介して、通信相手の携帯端末（不図示）との間で音声通信またはメール通信を行う処理を含んでいる。
スピーカ部２０９は、制御部２０５の指示に従って、通信相手の携帯端末に入力される通信相手の音声や通信相手からの着信を通知する通知音を出力する。
【００２０】
マイク部２１０は、制御部２０５の指示に従って、入力される当該携帯端末１の使用者の音声を音声信号に変換する。
また、メス型ピンコネクタ２０２が、オス型ピンコネクタ１０６に接続されたとき、制御部２０５は、操作部１０４ａ、１０４ｂ、２０４からの操作信号に従って、記憶部２０８に記憶された携帯電話用プログラム２０８ａの処理、すなわち無線部２０７およびアンテナ２０６を介して、通信相手の携帯端末（不図示）との間で音声通信またはメール通信を行う処理等を行うとともに、携帯電話用プログラム２０８ａの処理に関する情報を、メス型ピンコネクタ２０２、オス型ピンコネクタ１０６および表示制御部１１０を介して、表示部１０２に表示させる。
【００２１】
携帯電話用プログラム２０８ａの処理に関する情報としては、たとえば、操作部２０４により入力された電話番号やメールアドレス、電話またはメールの発信履歴や着信履歴が挙げられる。
また、表示部用本体１００の操作部１０４ａ、１０４ｂは、記憶部２０８に記憶された携帯電話用プログラム２０８ａを処理させるために用いられる。操作制御部１１１は、操作部１０４ａ、１０４ｂから入力された操作信号を、オス型ピンコネクタ１０６、メス型ピンコネクタ２０２を介して、アプリケーション用本体２００の制御部２０５へ出力する。そして、制御部２０５は、操作部１０４ａ、１０４ｂから入力された操作信号にしたがって携帯電話用プログラム２０８ａを処理し、携帯電話用プログラム２０８ａの処理に関する情報を、表示部１０２に表示させる。
【００２２】
次に、本発明の実施の形態１に係る携帯端末１の具体的な使用方法を、図に基づいて説明する。
まず、使用者は、表示部本体１００に、アプリケーション用本体２００を装着する。すなわち、具体的には、図１（ｄ）に示されるように、つまみ１０６ａを用いて、オス型ピンコネクタ１０６を、表示部本体１００の下端部にスライド移動させて、オス型ピンコネクタ１０６ａに、アプリケーション用本体２００の一端に設けられたメス型ピンコネクタ２０２を装着する。なお、アプリケーション用本体２００は、表示部本体１００に対して着脱可能である。
【００２３】
この状態で、アプリケーション用本体２００は表示部本体１００の内部でスライド移動可能となる。そして、制御部２０５は、操作部１０４ａ、１０４ｂ、２０４からの操作信号に従って記憶部２０８に記憶された携帯電話用プログラム２０８ａを動作させ、携帯電話用プログラム２０８ａの処理に関する情報を、メス型ピンコネクタ２０２、オス型ピンコネクタ１０６および表示制御部１１０を介して、表示部１０２に表示させる。
携帯端末１を用いて通話やメール通信を行うときには、図３（ａ）〜図３（ｃ）に示されるように、つまみ１０６ａを表示部用本体１００の下端にスライド移動させて、アプリケーション用本体２００の操作部２０４を表示部用本体１００から露出させる。そして、操作部２０４、１０４ａ、１０４ｂの操作キーの押下により、たとえば、無線部２０７およびアンテナ２０６を介して、通信相手の携帯端末（不図示）との間で音声通信またはメール通信を行う処理を行う。
【００２４】
一方、携帯端末１を用いて通話やメール通信を行わないとき等の待ち受け時には、図２（ａ）〜図２（ｃ）に示されるように、つまみ１０６ａを表示部用本体１００の上端にスライド移動させて、アプリケーション用本体２００の操作部２０４を表示部用本体１００内に収納させる。これにより、携帯端末１をコンパクトにして携行することができ、操作部２０４を保護することができる。
また、アプリケーション用本体２００の操作部２０４が表示部用本体１００内に収納された状態であっても、操作部１０４ａ、１０４ｂを用いて、例えば音量設定等の一定の処理を行うことができる。
【００２５】
以上に説明したように、本発明の実施の形態１に係る携帯端末１は、表示部１０２を有する表示部用本体１００と、表示部用本体２００に着脱可能に装着されるアプリケーション用本体２００とを備え、アプリケーション用本体２００は、携帯電話用プログラム２０８ａを記憶する記憶部２０８と、記憶部２０８に記憶された携帯電話用プログラム２０８ａの処理を行うとともに、携帯電話用プログラム２０８ａの処理に関する情報を表示部１０２に表示させる制御部２０５とを有したので、表示部を有する筐体と特定のプログラムを有する筐体とを別体で携行できて、特定のプログラムを有する筐体を差し替えることにより、ゲーム機や音楽プレイヤー等の多種の携帯端末の機能を簡単に切り替えて使用できる。
【００２６】
発明の実施の形態２．
次に、本発明の実施の形態２に係る携帯端末の構成について、図に基づいて、説明する。
図５は、本発明の実施の形態２に係る携帯端末のアプリケーション用本体の電気接続関係を示すブロック図である。
本発明の実施の形態２に係る携帯端末は、本発明の実施の形態１に係る携帯端末とは、アプリケーション用本体２００ａの構成が異なる点で相違する。
【００２７】
すなわち、本発明の実施の形態１に係る携帯端末では、図４（ｂ）に示されるように、アプリケーション用本体２００の記憶部２０８には、携帯電話用プログラム２０８ａが記憶されているのに対し、本発明の実施の形態２に係る携帯端末では、図５に示されるように、アプリケーション用本体２００ａの記憶部２１１には、ゲームソフト実行プログラム２１１ａおよびゲームソフトデータ２１１ｂが記憶されている。ゲームソフトデータ２１１ｂには少なくとも１以上のゲームデータが含まれている。
また、本発明の実施の形態２に係る携帯端末では、図４（ｂ）に示されるような操作部２０４、アンテナ２０６、無線部２０７、スピーカ部２０９およびマイク部２１０を備えていない。
【００２８】
また、メス型ピンコネクタ２０２がオス型ピンコネクタ１０６に接続されたとき、制御部２０５は、操作部１０４ａ、１０４ｂからの操作信号に従って記憶部２１１に記憶されたゲームソフト実行プログラム２１１ａの処理、すなわちゲームソフト実行プログラム２１１ａ上でゲームソフトデータ２１１ｂを起動して実行させる処理を行うとともに、ゲームソフト実行プログラム２１１ａの処理に関する情報を、メス型ピンコネクタ２０２、オス型ピンコネクタ１０６および表示制御部１１０を介して、表示部１０２に表示させる。
ここで、ゲームソフト実行プログラム２１１ａの処理に関する情報とは、たとえばゲームソフトデータ２１１ｂの実行時の画面データである。
【００２９】
また、表示部用本体１００の操作部１０４ａ、１０４ｂは、記憶部２１１に記憶されたゲームソフト実行プログラム２１１ａを処理させるため、たとえばゲームソフトデータ２１１ｂの実行時の画面に現れるキャラクタの移動処理等に用いられる。操作制御部１１１は、操作部１０４ａ、１０４ｂから入力された操作信号を、オス型ピンコネクタ１０６、メス型ピンコネクタ２０２を介して、アプリケーション用本体２００の制御部２０５へ出力する。そして、制御部２０５は、操作部１０４ａ、１０４ｂから入力された操作信号に従ってゲームソフト実行プログラム２１１ａを処理し、ゲームソフト実行プログラム２１１ａの処理に関する情報を、表示部１０２に表示させる。
【００３０】
次に、本発明の実施の形態２に係る携帯端末の具体的な使用方法を、図に基づいて説明する。
まず、使用者は、表示部本体１００に、アプリケーション用本体２００ａを装着する。すなわち、具体的には、図１（ｄ）に示されるように、つまみ１０６ａを用いて、オス型ピンコネクタ１０６を、表示部本体１００の下端部にスライド移動させて、オス型ピンコネクタ１０６ａに、アプリケーション用本体２００ａの一端に設けられたメス型ピンコネクタ２０２を装着する。
【００３１】
この状態で、アプリケーション用本体２００ａは表示部本体１００の内部でスライド移動可能となる。そして、制御部２０５は、操作部１０４ａ、１０４ｂからの操作信号に従って記憶部２１１に記憶されたゲームソフト実行プログラム２１１ａを動作させ、ゲームソフト実行プログラム２１１ａの処理に関する情報を、メス型ピンコネクタ２０２、オス型ピンコネクタ１０６および表示制御部１１０を介して、表示部１０２に表示させる。
なお、本発明の実施の形態２に係る携帯端末は、本発明の実施の形態１に係る携帯端末１のように、アプリケーション用本体２００ａに操作部を備えていないので、ゲーム使用時も不使用時も、図２（ａ）〜図２（ｃ）に示されるのと同様に、つまみ１０６ａを表示部用本体１００の上端にスライド移動させて、アプリケーション用本体２００ａを表示部用本体１００内に収納させて利用される。
【００３２】
そして、アプリケーション用本体２００が表示部用本体１００内に収納された状態で、操作部１０４ａ、１０４ｂを用いて、ゲームソフトデータ２１１ｂを起動し実行することができる。
以上に説明したように、本発明の実施の形態２に係る携帯端末も、本発明の実施の形態１に係る携帯端末１と同様に、表示部を有する筐体と特定のプログラムを有する筐体とを別体で携行できて、特定のプログラムを有する筐体を差し替えることにより、ゲーム機や音楽プレイヤー等の多種の携帯端末の機能を簡単に切り替えて使用できる。
【００３３】
発明の実施の形態３．
次に、本発明の実施の形態３に係る携帯端末の構成について、図に基づいて、説明する。
図６は、本発明の実施の形態３に係る携帯端末のアプリケーション用本体の電気接続関係を示すブロック図である。
本発明の実施の形態３に係る携帯端末は、本発明の実施の形態２に係る携帯端末とは、アプリケーション用本体２００ｂの構成が異なる点で相違する。
【００３４】
すなわち、本発明の実施の形態２に係る携帯端末では、図５に示されるように、アプリケーション用本体２００ａの記憶部２１１には、ゲームソフト実行プログラム２１１ａおよびゲームソフトデータ２１１ｂが記憶されているのに対し、本発明の実施の形態３に係る携帯端末では、図６に示されるように、アプリケーション用本体２００ｂの記憶部２１２には、音楽再生プログラム２１２ａおよび音楽データ２１２ｂが記憶されている。音楽データ２１２には少なくとも１以上の楽曲のデータが含まれている。
【００３５】
また、メス型ピンコネクタ２０２がオス型ピンコネクタ１０６に接続されたとき、制御部２０５は、操作部１０４ａ、１０４ｂからの操作信号に従って記憶部２１２に記憶された音楽再生プログラム２１２ａの処理、すなわち音楽再生プログラム２１２ａ上で音楽データ２１２ｂを再生させる処理を行うとともに、音楽再生プログラム２１２ａの処理に関する情報を、メス型ピンコネクタ２０２、オス型ピンコネクタ１０６および表示制御部１１０を介して、表示部１０２に表示させる。
ここで、音楽再生プログラム２１２ａの処理に関する情報とは、たとえば、曲名や歌手名や演奏時間などである。
【００３６】
また、表示部用本体１００の操作部１０４ａ、１０４ｂは、記憶部２１２に記憶された音楽再生プログラム２１２ａを処理させるため、たとえば音量調整や音質調整や選曲に用いられる。操作制御部１１１は、操作部１０４ａ、１０４ｂから入力された操作信号を、オス型ピンコネクタ１０６、メス型ピンコネクタ２０２を介して、アプリケーション用本体２００ｂの制御部２０５へ出力する。そして、制御部２０５は、操作部１０４ａ、１０４ｂから入力された操作信号に従って音楽再生プログラム２１２ａを処理し、音楽再生プログラム２１２ａの処理に関する情報を、表示部１０２に表示させる。
【００３７】
次に、本発明の実施の形態３に係る携帯端末の具体的な使用方法を、図に基づいて説明する。
まず、使用者は、表示部本体１００に、アプリケーション用本体２００ａを装着する。すなわち、具体的には、図１（ｄ）に示されるように、つまみ１０６ａを用いて、オス型ピンコネクタ１０６を、表示部本体１００の下端部にスライド移動させて、オス型ピンコネクタ１０６ａに、アプリケーション用本体２００ｂの一端に設けられたメス型ピンコネクタ２０２を装着する。
【００３８】
この状態で、アプリケーション用本体２００ｂは表示部本体１００の内部でスライド移動可能となる。そして、制御部２０５は、操作部１０４ａ、１０４ｂからの操作信号に従って記憶部２１２に記憶された音楽再生プログラム２１２ａを動作させ、音楽再生プログラム２１２ａの処理に関する情報を、メス型ピンコネクタ２０２、オス型ピンコネクタ１０６および表示制御部１１０を介して、表示部１０２に表示させる。
なお、本発明の実施の形態３に係る携帯端末は、本発明の実施の形態２に係る形態端末と同様に、使用時、不使用時ともに、つまみ１０６ａを表示部用本体１００の上端にスライド移動させて、アプリケーション用本体２００ｂを表示部用本体１００内に収納させて利用される。
【００３９】
そして、アプリケーション用本体２００ｂが表示部用本体１００内に収納された状態で、操作部１０４ａ、１０４ｂを用いて、音楽データを再生することができる。
以上に説明したように、本発明の実施の形態３に係る携帯端末も、本発明の実施の形態１に係る携帯端末１と同様に、表示部を有する筐体と特定のプログラムを有する筐体とを別体で携行できて、特定のプログラムを有する筐体を差し替えることにより、ゲーム機や音楽プレイヤー等の多種の携帯端末の機能を簡単に切り替えて使用できる。
【００４０】
発明の実施の形態４．
次に、本発明の実施の形態４に係る携帯端末の構成について、図に基づいて、説明する。
図７は、本発明の実施の形態４に係る携帯端末のアプリケーション用本体の電気接続関係を示すブロック図である。
本発明の実施の形態４に係る携帯端末は、本発明の実施の形態２に係る携帯端末とは、アプリケーション用本体２００ｃの構成が異なる点で相違する。
【００４１】
すなわち、本発明の実施の形態２に係る携帯端末では、図５に示されるように、アプリケーション用本体２００ａの記憶部２１１には、ゲームソフト実行プログラム２１１ａおよびゲームソフトデータ２１１ｂが記憶されているのに対し、本発明の実施の形態４に係る携帯端末では、図７に示されるように、アプリケーション用本体２００ｃの記憶部２１３には、スケジュールデータ処理プログラム２１３ａおよびスケジュールデータ２１３ｂが記憶されている。
【００４２】
また、メス型ピンコネクタ２０２がオス型ピンコネクタ１０６に接続されたとき、制御部２０５は、操作部１０４ａ、１０４ｂからの操作信号に従って記憶部２１３に記憶されたスケジュールデータ処理プログラム２１３ａの処理、すなわちスケジュールデータ処理プログラム２１３ａ上でスケジュールデータ２１３ｂを登録または改変させる処理を行うとともに、スケジュールデータ処理プログラム２１３ａの処理に関する情報を、メス型ピンコネクタ２０２、オス型ピンコネクタ１０６および表示制御部１１０を介して、表示部１０２に表示させる。
ここで、スケジュールデータ処理プログラム２１３ａの処理に関する情報とは、たとえば日別または月別のスケジュール表である。
【００４３】
また、表示部用本体１００の操作部１０４ａ、１０４ｂは、記憶部２１２に記憶されたスケジュールデータ処理プログラム２１３ａを処理させるため、たとえば表示部１０２に表示されるスケジュールの内容に新たに予定を追加したり、スケジュールの内容を改変したりするために用いられる。操作制御部１１１は、操作部１０４ａ、１０４ｂから入力された操作信号を、オス型ピンコネクタ１０６、メス型ピンコネクタ２０２を介して、アプリケーション用本体２００ｃの制御部２０５へ出力する。そして、制御部２０５は、操作部１０４ａ、１０４ｂから入力された操作信号に従ってスケジュールデータ処理プログラム２１３ａを処理し、スケジュールデータ処理プログラム２１３ａの処理に関する情報を、表示部１０２に表示させる。
【００４４】
次に、本発明の実施の形態４に係る携帯端末の具体的な使用方法を、図に基づいて説明する。
まず、使用者は、表示部本体１００に、アプリケーション用本体２００ｃを装着する。すなわち、具体的には、図１（ｄ）に示されるのと同様に、つまみ１０６ａを用いて、オス型ピンコネクタ１０６を、表示部本体１００の下端部にスライド移動させて、オス型ピンコネクタ１０６ａに、アプリケーション用本体２００ｂの一端に設けられたメス型ピンコネクタ２０２を装着する。
【００４５】
この状態で、アプリケーション用本体２００ｃは表示部本体１００の内部でスライド移動可能となる。そして、制御部２０５は、操作部１０４ａ、１０４ｂからの操作信号に従って記憶部２１２に記憶された音楽再生プログラム２１３ａを動作させ、スケジュールデータ処理プログラム２１３ａの処理に関する情報を、メス型ピンコネクタ２０２、オス型ピンコネクタ１０６および表示制御部１１０を介して、表示部１０２に表示させる。
なお、本発明の実施の形態４に係る携帯端末は、本発明の実施の形態２に係る形態端末と同様に、使用時、不使用時ともに、つまみ１０６ａを表示部用本体１００の上端にスライド移動させて、アプリケーション用本体２００ｃを表示部用本体１００内に収納させて利用される。
【００４６】
そして、アプリケーション用本体２００ｃが表示部用本体１００内に収納された状態で、操作部１０４ａ、１０４ｂを用いて、スケジュールデータを登録または改変等することができる。
以上に説明したように、本発明の実施の形態４に係る携帯端末も、本発明の実施の形態１に係る携帯端末１と同様に、表示部を有する筐体と特定のプログラムを有する筐体とを別体で携行できて、特定のプログラムを有する筐体を差し替えることにより、ゲーム機や音楽プレイヤー等の多種の携帯端末の機能を簡単に切り替えて使用できる。
【図面の簡単な説明】
【００４７】
【図１】本発明の実施の形態１に係る携帯端末の構成を示す模式図であって、図１（ａ）は携帯端末の正面外観図、図１（ｂ）は携帯端末の正面透視図、図１（ｃ）は図１（ａ）のＡ−Ａ切断線における携帯端末の断面図、図１（ｄ）は携帯端末の背面透視図、図１（ｅ）は携帯端末の底面外観図である。
【図２】本発明の実施の形態１に係る携帯端末のアプリケーション用本体を収納した状態の外観構成を示す図であって、図２（ａ）は携帯端末の外観正面図、図２（ｂ）は携帯端末の外観側面図、図２（ｃ）は携帯端末の外観背面図である。
【図３】本発明の実施の形態１に係る携帯端末のアプリケーション用本体を引き出した状態の外観構成を示す図であって、図３（ａ）は携帯端末の外観正面図、図３（ｂ）は携帯端末の外観側面図、図３（ｃ）は携帯端末の外観背面図である。
【図４】本発明の実施の形態１に係る携帯端末の電気接続関係を示すブロック図であって、図４（ａ）は表示部用本体のブロック図、図４（ｂ）はアプリケーション用本体のブロック図である。
【図５】本発明の実施の形態２に係る携帯端末のアプリケーション用本体の電気接続関係を示すブロック図である。
【図６】本発明の実施の形態３に係る携帯端末のアプリケーション用本体の電気接続関係を示すブロック図である。
【図７】本発明の実施の形態４に係る携帯端末のアプリケーション用本体の電気接続関係を示すブロック図である。
【符号の説明】
【００４８】
１００  表示部用本体
１０１  外枠ケース
１０２  表示部
１０３  プリント基板
１０４ａ、１０４ｂ  操作部
１０５  内壁
１０６  オス型ピンコネクタ
１０６ａ  つまみ
１０７  開口
１０８  フレキシブルプリント基板
１０９  凸部
１１０  表示制御部
１１１  操作制御部
２００  アプリケーション用本体
２０１  外枠ケース
２０２  メス型ピンコネクタ
２０３  凹部
２０４  操作部
２０５  制御部
２０６  アンテナ
２０７  無線部
２０８  記憶部
２０８ａ  携帯電話用プログラム
２０９  スピーカ
２１０  マイク
２１１  記憶部
２１１ａ  ゲームソフト実行プログラム
２１１ｂ  ゲームソフトデータ
２１２  記憶部
２１２ａ  音楽再生プログラム
２１２ｂ  音楽データ
２１３  記憶部
２１３ａ  スケジュール処理プログラム
２１３ｂ  スケジュールデータ
【図１】
2006287779.tif 000003
【図２】
2006287779.tif 000004
【図３】
2006287779.tif 000005
【図４】
2006287779.tif 000006
【図５】
2006287779.tif 000007
【図６】
2006287779.tif 000008
【図７】
2006287779.tif 000009